(57)【要約】【課題】挟持用ねじは、経年変化によりメスボルトとオスボルトとの間に緩みが生じることがあり、被挟持体の押圧が緩んだり脱落を生じる懸念がある。【解決手段】本発明は、一端にロックボルト挿通孔を貫通したつば状挟持部を形成し、内周に内ねじを形成したメスボルトと、一端につば状挟持部を形成し、棒状部外周にメスボルトの内ねじに螺合する外ねじを形成するとともに棒状部外周に形成した外ねじと反対回りの内ねじを内周に形成したオスボルトと、オスボルトの棒状部に形成した内ねじに螺合する外ねじを形成したロックボルトとからなることを特徴とする挟持用ねじを提供する。【選択図】図１
2011012693.tif 000002
【特許請求の範囲】
【請求項１】
一端にロックボルト挿通孔を貫通したつば状挟持部を形成し、内周に内ねじを形成したメスボルトと、一端につば状挟持部を形成し、棒状部外周にメスボルトの内ねじに螺合する外ねじを形成するとともに棒状部外周に形成した外ねじと反対回りの内ねじを内周に形成したオスボルトと、オスボルトの棒状部に形成した内ねじに螺合する外ねじを形成したロックボルトとからなることを特徴とする挟持用ねじ。
【請求項２】
一端にロックボルト挿通孔を貫通したつば状挟持部を形成し、内周に内ねじを形成したメスボルトと、一端につば状挟持部を形成し、棒状部外周にメスボルトの内ねじに螺合する外ねじを形成するとともに棒状部外周に形成した外ねじと反対回りの内ねじを内周に形成したオスボルトと、オスボルトの棒状部に形成した内ねじに螺合する外ねじを形成したロックボルトからなり、メスボルトとオスボルトとは、被挟持体に開孔した挿通孔に挿通されてメスボルトの内ねじとオスボルトの外ねじを螺合することにより被挟持体を挟持するとともにメスボルトに形成されたロックボルト挿通孔よりロックボルトを挿通し、オスボルトに形成された内ねじにロックボルトの外ねじを螺着してメスボルトとオスボルトの緩みを防止することを特徴とする挟持用ねじ。
【発明の詳細な説明】
【技術分野】
【０００１】
本発明は、被挟持体を貫通してその両側から被挟持体を挟持する挟持用ねじに関する。
【背景技術】
【０００２】
一般的な挟持用ねじ１１は、図８に示すように、一端につば状部１２ｂを形成するととに内周に内ねじ１２ａを形成したメスボルト１２と、一端につば状部１３ｂを形成するとともに外周に外ねじ１３ａを形成したオスボルト１３とからなる。
【０００３】
挟持用ねじ１１と挟持されるべき一対の被挟持体１６、１７とは、被挟持体１６、１７に開孔した挿通孔１６ａ、１７ａにメスボルト１２とオスボルト１３とを挿通し、メスボルト１２の内ねじ１２ａとオスボルト１３の外ねじ１３ａと螺着して締結される。
【０００４】
このようにして締結された挟持用ねじ１１と被挟持体１６、１７とは、経時的変化によりメスボルト１２とオスボルト１３のねじ１２ａ、１３ａの緩みが生じ、締結が弱まったり抜け落ちたりすることがある。また、締結が弱まると被挟持体１６、１７へのつば状部１２ｂ、１３ｂからの押圧が弱まったり、時には被挟持体１６、１７の脱落という事態も生じかねない。
【０００５】
この問題を解決するための方法として、オスボルトの外ねじ部分にスベリ防止剤を塗布したり、締結対象商品が見掛け上問題のない部分であれば、締結後にオスボルトの頭を溶接して固定することなどが周知である。
【発明の開示】
【発明が解決しようとする課題】
【０００６】
しかしながら、前者の場合は、スベリ防止剤の経年変化により絶対的な緩み止めとはいえず、また後者の場合は、外観的に見える部分、またはアルミ材への締結の場合には溶接は採用できず条件が限られてしまう。
【課題を解決するための手段】
【０００７】
本発明は、このような課題を以下述べるところにより解決しようとするものである。
【０００８】
まず、基本的には、一端にロックボルト挿通孔を貫通したつば状挟持部を形成し、内周に内ねじを形成したメスボルトと、一端につば状挟持部を形成し、棒状部外周にメスボルトの内ねじに螺合する外ねじを形成するとともに棒状部外周に形成した外ねじと反対回りの内ねじを内周に形成したオスボルトと、オスボルトの棒状部に形成した内ねじに螺合する外ねじを形成したロックボルトとからなることを特徴とする挟持用ねじを提供する。
【０００９】
詳しくは、一端にロックボルト挿通孔を貫通したつば状挟持部を形成し、内周に内ねじを形成したメスボルトと、一端につば状挟持部を形成し、棒状部外周にメスボルトの内ねじに螺合する外ねじを形成するとともに棒状部外周に形成した外ねじと反対回りの内ねじを内周に形成したオスボルトと、オスボルトの棒状部に形成した内ねじに螺合する外ねじを形成したロックボルトからなり、メスボルトとオスボルトとは、被挟持体に開孔した挿通孔に挿通されてメスボルトの内ねじとオスボルトの外ねじを螺合することにより被挟持体を挟持するとともにメスボルトに形成されたロックボルト挿通孔よりロックボルトを挿通し、オスボルトに形成された内ねじにロックボルトの外ねじを螺着してメスボルトとオスボルトの緩みを防止することを特徴とする挟持用ねじを提供する。
【発明の効果】
【００１０】
本発明は、つぎの効果を有する。
【００１１】
本発明に係る挟持用ねじは、一端にロックボルト挿通孔を貫通したつば状挟持部を形成し、内周に内ねじを形成したメスボルトと、一端につば状挟持部を形成し、棒状部外周にメスボルトの内ねじに螺合する外ねじを形成するとともに棒状部外周に形成した外ねじと反対回りの内ねじを内周に形成したオスボルトと、オスボルトの棒状部に形成した内ねじに螺合する外ねじを形成したロックボルトとからなるので、メスボルトとオスボルトを螺着して締結した後、メスボルトのつば状挟持部に形成した挿通孔からロックボルトを挿通し、オスボルトの内ねじにロックボルトを螺着して締結すると、オスボルトの内ねじとロックボルトの外ねじは、メスボルトの内ねじとオスボルトの外ねじとはねじ切り方向が反対回りのためメスボルトとオスボルトとの間に緩みが生じにくくなる。
【００１２】
したがって、スベリ防止剤の塗布による経年変化を心配する必要はなく、また外観的にも美感を損うことがない。
【発明を実施するための最良の形態】
【００１３】
以下、本発明を実施するための最良の形態を図面に基づいて説明する。
【００１４】
図１は、本発明に係る挟持用ねじを分解して示した説明図、図２乃至図７は、本発明に係る挟持用ねじによる被挟持体の挟持の施工手順を示す説明図である。
【００１５】
図１は、本発明に係る挟持用ねじを分解して示した断面図で、挟持用ねじ１は、メスボルト２、オスボルト３、ロックボルト４とからなる。
【００１６】
メスボルト２は円筒状にしてなり、一端につば状挟持部２ｂが形成され、円筒部内周に内ねじ２ａが形成されてなる。つば状挟持部２ｂには外側より円筒中空部に貫通する後述するロックボルト４を挿通する挿通孔２ｃが形成されている。
【００１７】
オスボルト３は棒状にしてなり、一端につば状挟持部３ｂが形成され、棒状部外周に外ねじ３ａが形成されるとともに、他端から任意の個所まで中空にして内周に後述するロックボルト４の外ねじ４ａを螺合する内ねじ３ｃが形成されてなる。この内ねじ３ｃはメスボルト２の内ねじ２ａ及びオスボルト３の外ねじ３ａが、順ねじのときは逆ねじ、逆ねじのときは順ねじというように反対回りに螺設する。
【００１８】
ロックボルト４は、棒状部外周にオスボルト３の内ねじ３ｃに螺着する外ねじ４ａが形成されている。頭部には必要に応じてスパナ用六角穴４ｂが形成されている。
【００１９】
この実施の態様では、各ねじは、メスボルト２の内ねじ２ａとオスボルト３の外ねじ３ａは逆ねじに、オスボルト３の内ねじ３ｃとロックボルト４の外ねじ４ａは順ねじに螺設されている。
【００２０】
メスボルト２、オスボルト３、ロックボルト４とからなる挟持用ねじは、図２以下に示すようにして被挟持体を挟持する。
【００２１】
図２は、挟持用ねじの各部と挟持されるべき一対の被挟持体を示す。挟持用ねじは上述したようにメスボルト２、オスボルト３、ロックボルト４とからなる。この実施の態様にあって、被挟持体はビルディング等に窓ガラスを取付けるときの公知の鉄骨製梁材６とカーテンウォールアルミ製枠材７である。本旨は挟持用ねじと被挟持体の挟持にあるので、窓ガラスの嵌め込みについては説明を省略する。
【００２２】
被挟持体である梁材６と枠材７は、それぞれ挟持用ねじを挿通するための挿通孔６ａ、７ａが開孔されている。
【００２３】
図３、図４、図５は梁材６、枠材７を挟持用ねじによって挟持する手順を示す。
【００２４】
挟持手順は、まず図３に示すように梁材６を枠材７で挟み、それぞれの挿通孔６ａ、７ａを合致させて、図４に示すように上方からメスボルト２を、下方からオスボルト３を挿通するとともにメスボルト２の内ねじ２ａとオスボルト３の外ねじ３ａを螺合する。この実施の形態において、ねじはいずれも逆ねじで切ってあるので左回しで締結していく。
【００２５】
メスボルト２とオスボルト３とを締結し、梁材６と枠材７を挟持した後、図５に示すように上方からロックボルト４をメスボルト２のつば状挟持部２ｂの表面から開孔されているロックボルト挿通孔２ｃに挿通し、ロックボルトの外ねじ４ａをオスボルト３のロックボルトの外ねじ用の内ねじ３ｃに螺合する。この実施の形態において、オスボルト３のロックボルトの外ねじ用の内ねじ３ｃとロックボルトの外ねじ４ａは、順ねじで切ってあるので右回しで締結する。
【００２６】
かくして、被挟持体である梁材６と枠材７とは、図６、図７に示すようにしてメスボルト２のつば状挟持部２ｂ、オスボルト３のつば状挟持部３ｂに押圧されて挟持される。
【００２７】
このようにして挟持された被挟持体は、螺設されたねじ切りが逆な２つのねじによる挟持用ねじに挟持されるので、しっかりと固定される。
【００２８】
なお、本発明は、上述した実施の態様に限定されるものでないことはもちろんである。
【図面の簡単な説明】
【００２９】
【図１】本発明に係る挟持用ねじを分解して示した斜視図である。
【図２】本発明に係る挟持用ねじの各部と被挟持部材のそれぞれを示す断面図である。
【図３】被挟持体を挟持用ねじで挟持する手順を示す断面図である。
【図４】被挟持体を挟持用ねじで挟持する手順を示す断面図である。
【図５】被挟持体を挟持用ねじで挟持する手順を示す断面図である。
【図６】被挟持体を挟持用ねじで挟持した状態を示す完成断面図である。
【図７】同平面図である。
【図８】従来の挟持用ねじを分解して示した断面図である。
【符号の説明】
【００３０】
１    挟持用ねじ
２    メスボルト
２ａ  メスボルトの内ねじ
２ｂ  メスボルトのつば状挟持部
２ｃ  ロックボルト挿通孔
３    オスボルト
３ａ  オスボルトの外ねじ
３ｂ  オスボルトのつば状挟持部
３ｃ  ロックボルトの外ねじ用の内ねじ
４    ロックボルト
４ａ  ロックボルトの外ねじ
４ｂ  スパナ用六角穴
６    被挟持体（梁材）
６ａ  挟持用ボルト挿通孔
７    被挟持体（枠材）
７ａ  挟持用ボルト挿通孔
【図１】
2011012693.tif 000003
【図２】
2011012693.tif 000004
【図３】
2011012693.tif 000005
【図４】
2011012693.tif 000006
【図５】
2011012693.tif 000007
【図６】
2011012693.tif 000008
【図７】
2011012693.tif 000009
【図８】
2011012693.tif 000010